【事件の表示】
　特願２０００−　４２７９７「デジタルカメラおよびそれを用いた画像印刷システム」拒絶査定不服審判事件〔平成１３年　８月３１日出願公開、特開２００１−２３８１０５〕について、次のとおり審決する。
【結　論】
　本件審判の請求は、成り立たない。
【理　由】
１．経緯（手続・本願発明・査定）
（１）手続
　本願は、平成１２年２月２１日の出願である。
（２）本願発明
　その請求項１から請求項６までに係る各発明は、本願明細書および図面（平成１５年７月１０日付け手続補正書により補正された明細書および図面）の記載からみて、それぞれ、その特許請求の範囲の請求項１から請求項６までに記載したとおりの「デジタルカメラ」であると認められるところ、そのうち、請求項１に係る発明（以下、本願発明ともいう）は下記１のとおりのものである。
　　　　　記１（請求項１に係る発明）
　【請求項１】記録部に記録されている画像データから作成される画像を画像処理装置を経由して印刷装置で印刷可能なデジタルカメラであって、
　前記記録部に記録された画像データから前記印刷装置で印刷を所望する画像データを選択する選択手段と、
　前記記録部に記録されている画像データのうち前記選択手段で選択された画像データを特定するための出力データを作成し、作成された前記出力データを前記記録部に保存する出力データ作成手段と、
　前記記録部に記録された前記出力データ、ならびに前記出力データにより特定される画像データを、前記画像処理装置に伝送するための伝送手段が接続される接続部と、
　前記接続部と前記伝送手段とが接続されると、前記画像処理装置の出力データ読込手段を起動するための起動信号を出力する起動手段と、
　前記接続部と前記伝送手段とが接続され、前記起動手段により出力された前記起動信号により前記画像処理装置で前記出力データ読込手段が起動されると、起動した前記出力データ読込手段に前記記録部に記録されている前記出力データを渡す出力データ送信手段と、
　を備えることを特徴とするデジタルカメラ。
（３）査定
　原査定の理由は、概略、下記２のとおりである。
　　　　　記２（査定の理由）
　本願各発明は、下記刊行物に記載された各発明及び周知技術に基づいて当業者が容易に発明をすることができたものであるから、特許法第２９条第２項の規定により、特許を受けることができない。
　　　　　記
　刊行物１：特開平１１−３０６１１９号公報
　刊行物２：特開平１１−４６３３１号公報
　刊行物３：特開平１−２０１７５５号公報（周知技術、査定で引用）
　
２．刊行物の記載
（１）刊行物２
　原査定において引用された刊行物２（特開平１１−４６３３１号公報）には、「デジタルカメラおよび印刷システム」に関して、以下の記載が認められる。
　（ア）「【発明の属する技術分野】本発明はデジタルカメラに関し、特に、画像データを直接プリンタに出力することのできるデジタルカメラおよびそれを用いた印刷システムに関する。」（段落0001）
　（イ）「デジタルカメラは撮像光を光電変換して画像データを得て記録媒体に記録し、パーソナルコンピュータ（以下、ＰＣ）等の外部画像処理装置に出力するよう構成されている。外部画像処理装置側で印刷画像データ作成処理を行ない、作成された印刷画像データをプリンタに出力して用紙上に撮影画像を印刷／再生している。」（段落0003）
　「ＰＣ側で画像選択を行なう場合には、ＪＰＥＧ圧縮された複数のサムネイル画像（後述）を先に取込んでモニターに表示させる。選択されたサムネイル画像に対応する撮影画像データをデジタルカメラ側から取込んで伸張処理を施してからモニターに表示し、ユーザの確認を得てカラー印刷画像データ作成処理を行ない、ＰＣに接続するプリンタで画像印刷を行なう。」（段落0005）
　「ＰＣはその汎用性のために画像（または映像）印刷処理以外の多くのアプリケーションプログラムを備えているのが通例である。」（段落0010）
　「従って、画像の印刷処理を行なう場合には、使用者はＯＳで規定されたコマンド入力操作を行なって、印刷処理アプリケーションプログラムおよびプリンタドライバをそれらが格納されている格納装置（例えば、磁気ディスク）からＰＣの内部メモリーに取込んで、実行可能状態にする必要がある。」（段落0011）
　（ウ）「本発明は・・・デジタルカメラから外部装置に画像データを出力する機能を有すると共に、所望の画像を所望の印刷仕様（印刷枚数、用紙サイズ，印刷色等）で印刷できる機能を有するデジタルカメラの提供を目的とする。」（段落0015）
　（エ）「＜実施例１＞図８は画像選択手段45Aの動作を示すフローチャートである。撮影済みの画像データを順に液晶ディスプレイに表示してユーザに所望の印刷画像を選択させ、印刷枚数、印刷用紙サイズ、印刷色（カラー、モノカラーあるいは白黒）等の印刷仕様を指定し、印刷画像データを作成し外部装置に送信するまでの動作例を示す。」（段落0059）、
　「画像選択手段45Aは、撮影した画像データを順に液晶ディスプレイ16に表示してユーザに所望の印刷画像を選択させる印刷画像選択手段453と、印刷枚数、印刷用紙サイズ、印刷色（フルカラー、モノカラー、白黒）等の印刷仕様および画像データの送信先である外部装置を指定する出力方法指定手段454とを有する（実施例１参照）。」（段落0039）
　（オ）「印刷画像選択手段453は・・・候補画像31を液晶ディスプレイ16上に表示する（Ｓ１）。この場合、候補画像には索引番号を付加して表示する。・・・ユーザがボタン19を押しつづけると・・・候補画像を順次表示し、ユーザーがボタンから手を離すとその時点の画像で表示を停止する。ユーザーがボタン20押しつづけると・・・前の候補画像を順次表示し、ユーザーがボタンから手を離すとその時点の候補画像で表示を停止する（Ｓ２）。」（段落0060）（段落0061）
　「ユーザーがボタン17あるいは18の何れかを押すと、印刷画像選択手段453はその候補画像が選択されたものとみなし、制御を出力方法指定手段454に移す（Ｓ３）。」（段落0062）
　（カ）「出力方法指定手段454は、・・・ユーザーに各印刷使用および画像データ送信先外部装置の選択或いは入力を促す。・・・ユーザーがボタン17または18の何れかを押すと、その時点の表示値を印刷枚数としてセットして設定値登録テーブルの画像索引番号に対応する位置に格納して次のステップに移行する（Ｓ５）。・・・選択した印刷用紙サイズをセットして設定値登録テーブルの画像索引番号に対応する位置に格納して、次のステップに移行する（Ｓ６）。・・・印刷色パラメータは、設定値登録テーブルの画像索引番号に対応する位置に格納される（Ｓ７）。」（段落0063〜段落0067）
　（キ）「出力装置指定手段4545は、・・・出力装置としてＰＣを選択すると、画像データ送信プログラム54の出力装置パラメータを３にする。・・・ユーザーがボタン17または18を押すと選択した出力装置がセットされ、設定値として設定値登録テーブルの画像索引番号に対応する位置に格納し、次の候補画像を表示するためにステップＳ１に戻る。次の候補画像がない場合には出力装置パラメータの値を調べ、その値が・・・３・・・の時はステップＳ１６に進む（Ｓ８）。」（段落0068）
　「出力装置パラメータの値が３・・・の場合には、ＪＰＥＧ画像データ、あるいは印刷枚数の設定値、印刷用紙サイズの設定値、印刷用制御信号および２値のビットマップデータをインターフェイス11を介してＰＣ200に・・・送信する（Ｓ１６）。」（段落0077）
　（ク）「【発明の効果】・・・本発明によれば・・・表示手段に画像を表示して所望の画像を選び、印刷枚数、印刷用紙サイズ、印刷色等の印刷仕様を指定し、それに基づいて作成した印刷画像データをデジタルカメラからプリンタに送信することが可能となる。」（段落0099）
（２）刊行物１
　原査定において引用された刊行物１（特開平１１−３０６１１９号公報）には、デジタルカメラの接続が可能な「ネットワークシステム」に関して、以下の記載が認められる。
　（ケ）「この発明は・・・デジタルカメラ側でネットワーク上の資源を容易、かつ迅速に活用することができるネットワークシステムを提供することを目的としている。」（段落0007）
　〈デジタルカメラとパソコンとの接続（図６）〉
　（コ）「カメラ本体部２は・・・パソコンが外部接続される接続端子13を有し・・・パソコンへの転送等の処理を行うものである。」（段落0017）
　「デジタルカメラ１をパソコン1000に接続しない状態では、モード設定スイッチ14を操作することにより、再生モードと撮影モードとが切り替え可能であり、再生モードでは画面1001には撮影済み画像が表示され（Ｄ１）、撮影モードでは画面1001にライブビュー画像が表示される（Ｄ２）。」（段落0055）
　「デジタルカメラを第１のパソコン1000に接続すると、予め第１のパソコン1000にインストールされているドライバソフトがデジタルカメラ１の接続を検出し、パソコン1000の画面1001は、図７（ａ）のように画面Ｄ10に遷移する。これと同時に、デジタルカメラ１の表示部10の画面も図７（ｂ）に示すように画面Ｄ10に遷移する。また、デジタルカメラ１と第１のパソコン1000との接続状態を解除すると、・・・画面は・・・元の画面（Ｄ１及びＤ２）に戻る。」（段落0056）
　「画面Ｄ10においては、・・・デジタルカメラの表示部10の画面と第１のパソコン1000の画面1001とが１対１に対応した同一の画面になる。・・・デジタルカメラ１のトラックボールＴＲの操作に応じて・・・パソコンのマウスと同様の操作を行うことができる。なお、デジタルカメラの操作スイッチとパソコンの操作部材との対応関係は次表のようになっており、マウスカーソルの移動のみならず、・・・デジタルカメラのスイッチの操作によってパソコンの操作が可能になる。」（段落0057〜段落0059）
　〈ファンクションキーＦ１、Ｆ２、Ｆ３（図２）〉
　（サ）「設定された特定の機能を実行可能なファンクションキーＦ１、Ｆ２、Ｆ３が表示部10の上端やや上に設置されている。各ファンクションキーは、キーを押したときのアクションを選択し、登録することが可能であり、登録内容は全体制御部11内の不揮発性メモリ（図示せず）内に保存される。」（段落0022）
　〈ファンクションキーＦ２によるフォルダの選択（図６、図８）〉
　（シ）「ファンクションキーＦ２には、予めデジタルカメラ１の撮影データをパソコン1000へ転送する際のフォルダ選択機能が登録されており、ファンクションキーＦ２を押すことにより、パソコン1000の画面1001上に撮影データを保存するフォルダを指定するダイアログ1004が表示される。同時に、・・・デジタルカメラ１の表示部10の画面にも同様のダイアログが表示される。」（段落0061）
　「ここで、・・・フォルダを選択し、クリックすると、当該フォルダが枠で囲まれ、さらにその状態でＯＫボタンをクリックする（トラックボールＴＲでマウスカーソルをＯＫボタンの上におき、Ｄｏｗｎキー７を押す）と・・・デジタルカメラ１側から、撮影データを保存すべきパソコンのフォルダを指定することができる。」（段落0063）
　〈ファンクションキーＦ１による撮影データの転送（図６、図９）〉
　（ス）「ファンクションキーＦ１には、予めデジタルカメラ１の撮影データをパソコン1000へ転送するのを実行する機能が登録されており、ファンクションキーＦ１を押すことにより、パソコンの画面1001上に撮影データを転送中である旨を示すダイアログが表示される。この時、図９（ｂ）に示すように、デジタルカメラ１の表示部10の画面にも同様のダイアログが表示される。このダイアログには、現在転送中のコマが何コマ目で、その進行状況がどの程度かを表示するプログレスバーと、全体で何コマ転送し、転送作業全体の進行状況を表示するプログレスバーも表示される。転送中のボタンを押すことにより転送を中断することが可能である。転送が完了するか、あるいは中断すると、画面Ｄ10に戻る。」（段落0064）
　〈カメラによるパソコンのソフトの起動〉
　（セ）「デジタルカメラ１の表示部10の画面に見えている第１のパソコン1000のアプリケーションソフト実行ファイルのアイコンを選択してシャッターボタン９を押すと、アプリケーションが起動する。ここでは、電子メールソフトを起動させた様子を図示している。しかし・・・アプリケーションソフトは電子メールソフトに限られることなく、データベース等のアプリケーションソフトであっても構わない。」（段落0094）
　
３．本願発明と刊行物２に記載された発明との対比
（１）対応関係
　（ａ）上記記載ア〜記載クによれば、刊行物２に記載のデジタルカメラ（出力装置としてパソコンが指定された場合）は、本願発明にいう「記録部に記録されている画像データから作成される画像を画像処理装置を経由して印刷装置で印刷可能なデジタルカメラ」に相当する。
　（ｂ）上記記載オによれば、印刷画像選択手段453は、本願発明にいう「記録部に記録された画像データから印刷装置で印刷を所望する画像データを選択する選択手段」に相当する。
　（ｃ）「選択された画像データを特定するための出力データ」について
　（ｃ1）本願明細書には、「（３）　制御部16は入力された印刷枚数および印刷方向からＤＰＯＦファイル（略）を作成する(S104)。ＤＰＯＦファイルには、上述のような選択された画像の印刷枚数データ、ならびにその画像の印刷方向を示すレイアウトデータなどが含まれている。（４）　作成されたＤＰＯＦファイルおよび選択された画像の画像データは、出力データとしてデジタルカメラ１のフラッシュメモリ122に保存される（S105）。」（段落0032）、および、「ダウンロードされたＤＰＯＦファイルの内容に基づいて印刷すべき画像の画像データを特定し、特定された画像データをフラッシュメモリ122からダウンロードする（S222）。」（段落0037）の記載があるところ、「ＤＰＯＦファイルの内容に基づいて印刷すべき画像の画像データを特定し、」における「ＤＰＯＦファイルの内容」の具体については、上記記載以上には明らかでない。
　そうすると、本願発明の「選択された画像データを特定するための出力データ」は、ＤＰＯＦファイルの中に、選択された画像毎にその印刷枚数や印刷方向などのデータとともにセットとして含まれていることが認められる。
　（ｃ2）刊行物２記載の発明では、上記記載カによれば、印刷画像選択手段453により印刷を所望する画像が選択された後、出力方法指定手段454は、ユーザーに印刷仕様および送信先の入力を促し、同入力があった後、設定値登録テーブルの選択された画像の索引番号に対応する位置に、印刷仕様および送信先として「印刷枚数」、「印刷サイズ」、「印刷色」及び「出力装置」の各パラメータを格納する。すなわち、設定値登録テーブルには、「選択された画像の索引番号」と「選択された画像のパラメータ（印刷枚数、印刷サイズ、印刷色及び出力装置）」とからなるデータがセットとして格納されることになる。なお、設定値登録テーブルが記録媒体９内に作成されることは明らかである。
　（ｃ3）以上によれば、刊行物２の記録媒体９（設定値登録テーブル）に格納された、「選択された画像の索引番号」と「選択された画像のパラメータ（印刷枚数、印刷サイズ、印刷色及び出力装置）」とからなるデータのセットは、本願発明にいう「選択された画像データを特定するための出力データ」に相当するものであると言うことができる。なお、このことにつき、段落0059（記載エ）には「印刷画像データを作成し、」と記述されている
　そうすると、刊行物２記載の出力方法指定手段454が、本願発明にいう「記録部に記録されている画像データのうち選択手段で選択された画像データを特定するための出力データを作成し、作成された前記出力データを前記記録部に保存する出力データ作成手段」に相当することは、明らかである。
　（ｄ）インターフェース11が、本願発明にいう「記録部に記録された出力データ、ならびに画像データを、画像処理装置に伝送するための伝送手段が接続される接続部」に相当することは明らかである。
　（ｅ）上記記載イによれば、デジタルカメラとパソコンとの間で画像データを転送することがシステムとして成立するには、デジタルカメラ側が画像データを「出力する」手段（段落0003）を備えるとともに、パソコン側がこの画像データを「取り込む」手段（段落0004、0005）を備えていることが必要であること、その「取り込む」手段は、通常、パソコンのアプリケーションプログラム（印刷処理以外）により実現されること、以上は明らかである。
　上記「取り込む」手段は、本願発明の「画像処理装置の出力データ読込手段」に相当する。もっともこの「取り込む」手段は、使用者のパソコンでのコマンド入力操作によって実行可能状態にされるものであり（段落0011）、カメラの起動手段が出力する起動信号により起動されるものではない。
　（ｆ）上記記載キによれば、印刷画像選択手段453および出力方法指定手段454（出力装置指定手段4545）を実行中、「次の候補画像がない場合」において、出力装置としてパソコンが指定されているときは、「ＪＰＥＧ画像データ」、あるいは、「印刷枚数の設定値、印刷用紙サイズの設定値、印刷用制御信号および２値のビットマップデータ」がインターフェイス11を介してパソコンに送信される。ここで、「印刷枚数の設定値、印刷用紙サイズの設定値」が選択された画像の索引番号とセットとして格納されるものであり本願発明の「出力データ」に相当することは前記のとおりであるから、本願発明にいう「出力データ」をパソコンに送信していることに他ならない。
　したがって、本願発明にいう「画像処理装置で出力データ読込手段が起動されると、起動した出力データ読込手段に記録部に記録されている出力データを渡す出力データ送信手段」に相当する手段の存在が認められる。
（２）一致点・相違点
　本願発明と刊行物２記載の発明とは、下記３の点において一致し下記４の点において相違することが認められる。
　　　　　記３（一致点）
　記録部に記録されている画像データから作成される画像を画像処理装置を経由して印刷装置で印刷可能なデジタルカメラであって、
　前記記録部に記録された画像データから前記印刷装置で印刷を所望する画像データを選択する選択手段と、
　前記記録部に記録されている画像データのうち前記選択手段で選択された画像データを特定するための出力データを作成し、作成された前記出力データを前記記録部に保存する出力データ作成手段と、
　前記記録部に記録された前記出力データ、ならびに前記画像データを、前記画像処理装置に伝送するための伝送手段が接続される接続部と、
　前記画像処理装置で前記出力データ読込手段が起動されると、起動した前記出力データ読込手段に前記記録部に記録されている前記出力データを渡す出力データ送信手段と、
　を備えるデジタルカメラ。
　　　　　記４（相違点）
　相違点１
　本願発明は、「接続部と伝送手段とが接続されると、画像処理装置の出力データ読込手段を起動するための起動信号を出力する起動手段」を備え、「接続部と伝送手段とが接続され、前記起動手段により出力された前記起動信号により前記画像処理装置で前記出力データ読込手段が起動される」のに対して、
　刊行物２は、画像処理装置での入力操作により「画像処理装置で出力データ読込手段が起動される」ものであり、したがって、「接続部と伝送手段とが接続されると、画像処理装置の出力データ読込手段を起動するための起動信号を出力する起動手段」を備えず、「起動手段により出力された起動信号により画像処理装置で出力データ読込手段が起動される」ものではない点
　相違点２
　本願発明の伝送手段は、「出力データにより特定される画像データ」を画像処理装置に伝送するのに対して、刊行物２の伝送手段は、「画像データ」を画像処理装置に伝送する点
　
４．相違点の判断
（１）上記相違点１について判断する。
　（ａ）刊行物２
　上記記載ウ（段落0015）、記載エ（段落0039）、記載キ（段落0068、段落0077）、「外部から導入したプログラムコードの書き込み、削除、追加など、ＰＣ等のコンピュータ装置で広く行われているファイル管理に相当するデータ管理を行う」（段落0035）との記載によれば、刊行物２には、デジタルカメラ側をホストとして他の外部機器を制御する思想があると言うことができる。
　（ｂ）刊行物１
　（ｂ1）本件発明の「接続部と伝送手段とが接続されると、」について
　本願明細書の段落0034および段落0035には、デジタルカメラはパソコンとの接続を認識し、パソコンもデジタルカメラとの接続を認識すると、デジタルカメラからパソコンへのＤＰＯＦファイルおよび画像データの送受信が可能な待機状態となり、そしてシャッターボタンが押されるとデジタルカメラからパソコンに対し所定のアプリケーションソフトウエアを起動させるための起動信号が送信されることが記載されている。
　これらの記載によれば、本願発明の「接続部と伝送手段とが接続されると、画像処理装置の出力データ読込手段を起動するための起動信号を出力する起動手段」における「接続部と伝送手段とが接続されると、」とは、「送受信が可能な待機状態になり、」との意味、すなわち、「起動信号を出力する」ことが可能な待機状態になりその状態おいて、との意味であり、「接続部と伝送手段とが接続されると、」直ちに「起動信号を出力する」との意味ではないことが認められる。
　（ｂ2）刊行物１には、デジタルカメラのシャッターボタンを押すことにより、パソコンのアプリケーションソフト（電子メールソフトに限らず、データベース等の任意のアプリケーションソフト）を起動することが記載されている（記載セ）。これは、デジタルカメラ側の操作でパソコン側のアプリケーションソフトを実行（起動）させるとの思想を開示するものである。
　具体的には、上記記載スによれば、ファンクションキーＦ１には、予めデジタルカメラの撮影データをパソコンへ転送するのを実行する機能が登録されており、このファンクションキーＦ１を押すことにより、パソコンへの転送が実行される。ここで、上記記載セ（デジタルカメラのシャッターボタンを押すことにより、パソコンのアプリケーションソフト（電子メールソフトに限らず、データベース等の任意のアプリケーションソフト）を起動する旨の記載）も参照すると、パソコン側に撮影データを読み込むためのソフトウエアがすでに用意されており、このソフトウエアをカメラ側からの信号（Ｆ１の押下）により起動することが認められる。
　（ｂ3）以上によれば、刊行物１には、本願発明にいう「接続部と伝送手段とが接続されると、画像処理装置の出力データ読込手段を起動するための起動信号を出力する起動手段」に相当する手段の存在が認められる。
　（ｃ）そうすると、上記相違点１に係る構成「（デジタルカメラの）起動手段が出力する起動信号により画像処理装置の出力データ読込手段を起動すること」は、刊行物２における「次の候補画像がない場合」（記載キ、段落0068）を指定する操作段階において、上記刊行物１に記載された「撮影データを読み込むためにパソコン側に用意されているソフトウエアをカメラ側からの信号（Ｆ１の押下）により起動する」ことを適用することにより、当業者が容易になし得ることと認められる。
（２）上記相違点２について判断する。
　刊行物２の「選択されたサムネイル画像に対応する撮影画像データをデジタルカメラ側から取込んで・・・モニターに表示し、」（上記イ、段落0005）の記載によれば、刊行物２には、選択された画像を伝送することが記載されている。他方、本願発明の「出力データ、ならびに出力データにより特定される画像データを伝送する」は、伝送するデータを単に規定するだけであり、伝送する各データの伝送順序等を規定するものではない。
　そうすると、上記相違点２に係る構成「出力データにより特定される画像データ」は、伝送データについてする単なる設計上の選択的事項に過ぎないと認められる。
（３）効果等
　以上のとおり、上記相違点１及び相違点２に係る各構成は当業者が容易になし得ることであり、また、これら相違点を総合しても格別の作用をなすとは認められない。本願発明の効果も、刊行物１及び刊行物２の記載から予測することができる程度のものにすぎない。
　
５．むすび
　以上、請求項１に係る発明は、刊行物１及び刊行物２に記載された各発明に基づいて当業者が容易に発明をすることができたものであり、特許法第２９条第２項の規定により特許を受けることができない。
　したがって、請求項２から請求項６までに係る各発明について特に検討するまでもなく、本願は拒絶をすべきものである。
　よって、結論のとおり審決する。